(57)【要約】      （修正有）【課題】読書の際に眼鏡や老眼鏡のクリーナーとして使うことができる短冊状のしおりを提供する。【解決手段】剛性を有し、片面の一部に眼鏡拭きクロス４の端部を係止するための係止体３を備えた矩形シート２と、係止体３に係止され矩形シート２の面積を超えない面積を有する眼鏡拭きクロス４からなるしおりとする。【選択図】図３
0003213731.tif 000002
【実用新案登録請求の範囲】
【請求項１】
剛性を有し、片面の一部に眼鏡拭きクロスの端部を係止するための係止体を備えた矩形シートと、前記係止体に係止され前記矩形シートの面積を超えない面積を有する前記眼鏡拭きクロスと、からなる、ことを特徴とするしおり。
【請求項２】
請求項１に記載のしおりであって、前記矩形シートの少なくとも一辺に折り曲げ可能に接合形成され、折り曲げ時には前記眼鏡拭きクロスの少なくとも一部を覆う蓋状シートと、からなる、
ことを特徴とするしおり。
【請求項３】
請求項２に記載のしおりであって、前記矩形シートと前記蓋状シートとを密着固定させるロック体が前記矩形シートに設けられている、
ことを特徴とするしおり。
【請求項４】
請求項２に記載のしおりであって、前記矩形シートと前記蓋状シートとを密着固定させるロック体が前記蓋状シートに設けられている、
ことを特徴とするしおり。
【請求項５】
請求項１または請求項２に記載のしおりであって、前記矩形シートの一部に紐用穴が設けられている、
ことを特徴とするしおり。
【請求項６】
請求項２に記載のしおりであって、前記蓋状シートが透明材質である、
ことを特徴とするしおり。
【考案の詳細な説明】
【技術分野】
【０００】  本考案は、しおりに関する。
【背景技術】
【０００２】  読書をする際、途中で中断する際に次に読書を再開したときにどこまで読み進めたかをすぐに探せるよう、読みかけのページを備忘するために、書籍に予め付けられたしおり紐や、薄い短冊状しおりをページの間に挟み込んで使用することが多い。【０００３】  この短冊状しおりは書籍を購入する際に付属してくるような紙製のタイプや皮製のタイプ、樹脂や金属製などが一般的である。この短冊状しおりはページの間に挟み込み読みかけのページを備忘することが第一の機能ではあるが、そのほかの機能を追加した機能性のある栞も存在し、例えば特許文献１に示すような本開き防止を付加したしおりが提案されている。
【先行技術文献】
【特許文献】
【０００４】
【特許文献１】特開２００２−１０４４９２号公報
【０００５】  さて、視力が低い人や老眼の人は読書をする際に眼鏡をかけることが多いが、眼鏡ケースを使用しないことも多く、いざ眼鏡を拭こうと思ったときに近くに眼鏡拭きが無いといった不便があった。そこで、例えば特許文献２に示すような眼鏡拭きと眼鏡ケースが一体となったものが提案されている。また、特許文献３に示すような眼鏡拭きを摺動して出没自在にできる眼鏡拭きケースが提案されている。
【先行技術文献】
【特許文献】
【０００６】
【特許文献２】実用新案第３０３６０２９号
【特許文献３】実用新案第３０６０７９４号
【考案の概要】
【考案が解決しようとする課題】
【０００７】  ところで、近年眼鏡や老眼鏡はコンパクトになってきており、細長い眼鏡ケースを使用したり、眼鏡ケースを使用せずペンスタンド状の収納に入れることも多くなっている。【０００８】  特許文献２のような眼鏡拭きクロスは眼鏡を保管するための機能を付加したものとして提案されているが、眼鏡を使用して読書をする間にどのように保管するかは検討されておらず、どこかに収納するにしても眼鏡拭きクロス自体が布製で柔らかく自立しないため、折りたたむか丸めて保管するしかなく紛失することも多くなる。さらに眼鏡拭きクロスがむき出しになっているため汚れなどが付きやすい。【０００９】  また特許文献３のような眼鏡拭きケースでは摺動して出没自在にさせるために眼鏡拭きクロス自体に剛性を持たせる必要が生じるが、眼鏡拭きクロス自体を固くしてしまうと、眼鏡のフレームの縁や金具など細かい部分を拭くことができないという矛盾を生じさせる。また摺動させる部品を使用する必要があり、製造コストも高くなる。【００１０】  一方、しおりは読書に欠かせないアイテムであり、読書や手帳へ筆記する際など、しおりを使うシーンと眼鏡を使うシーンとが一致することが多い。【００１１】  そこで、本考案は、上記の課題を解決させるため、読書の際に眼鏡や老眼鏡のクリーナーとして使うことができる短冊状のしおりを提供することを目的とする。
【課題を解決するための手段】
【００１２】  上記課題を解決するために、本考案に係るしおりは、剛性を有し、片面の一部に眼鏡拭きクロスの端部を係止するための係止体を備えた矩形シートと、係止体に係止され矩形シートの面積を超えない面積を有する眼鏡拭きクロスと、からなるしおりである。【００１３】本考案において、矩形シートの少なくとも一辺に折り曲げ可能に接合形成され、折り曲げ時には眼鏡拭きクロスの少なくとも一部を覆う蓋状シートが設けられていてもよい。【００１４】また、矩形シートと蓋状シートとを密着固定させるロック体が矩形シートに設けられていてもよい。【００１５】また、矩形シートと蓋状シートとを密着固定させるロック体が蓋状シートに設けられていてもよい。【００１６】また、矩形シートの一部に紐用穴が設けられていてもよい。【００１７】さらに、蓋状シートが透明材質であっても良い。
【考案の効果】
【００１８】  本考案によって、読書の際に眼鏡や老眼鏡のクリーナーとして使うことができる短冊状のしおりを提供できる。
【図面の簡単な説明】
【００１９】
【図１】本考案の一実施形態に係るしおり１の全体を示す正面図である。
【図２】図１に示すしおり１の全体を示す背面図である。
【図３】図１および図２に示すしおり１の使用時における斜視図である。
【図４】本考案の他の実施形態に係るしおり１の全体を示す正面図である。
【図５】図４に示すしおり１の全体を示す背面図である。
【図６】図４および図５に示すしおり１の蓋状シート５を閉じた状態における正面図である。
【図７】図４および図５に示すしおり１の蓋状シート５を開けた使用時における斜視図である。
【図８】本考案の最適な実施形態に係るしおり１の全体を示す正面図である。
【図９】図８に示すしおり１の全体を示す背面図である。
【図１０−ａ】図８および図９に示すしおり１の使用手順図ａである。
【図１０−ｂ】図８および図９に示すしおり１の使用手順図ｂである。
【図１０−ｃ】図８および図９に示すしおり１の使用手順図ｃである。
【図１０−ｄ】図８および図９に示すしおり１の使用手順図ｄである。
【図１１】図８および図９に示すしおり１の広告例を示す正面図である。
【考案を実施するための形態】
【実施例】
【００２０】本考案の好適な実施形態について、添付図面に基づいて説明する。
なお、実施形態は以下の形態に限定されるものではなく、本考案の課題を解決し得るものであれば他の態様も可能である。【００２１】  図１〜図３に示すしおり１は、本考案を実施するにあたり、一番構成部品数や面積が少なくて済み、低コストな形態となっており、矩形シート２と、係止体３と、眼鏡拭きクロス４と、紐用穴６によって構成されている。【００２２】  この矩形シート２の材質としては剛性を有しつつ、本に挟んだ時に厚みが気にならない程度の厚みを有しており、かつ読書中の書籍のたわみに合わせてたわむ程度の弾性がある部材が良く、例えばボール紙などの厚手用紙や、ポリプロピレン等の薄手プラスチックシートが考えられる。【００２３】  この矩形シート２の面積であるが、書籍のうち最も小さなサイズの書籍（例えば、文庫サイズ）のページサイズと同等かそれ以下で形成されると、しおりとして本に挟んだときに書籍からはみ出さず持ち運びにも適する。【００２４】  係止体３は矩形シート２の片面の一部に眼鏡拭きクロス４の端部を係止させられればよく、矩形シート２と眼鏡拭きクロス４を挟み込んで留めることができる縫製やホチキス針、矩形シート２と眼鏡拭きクロス４の間に貼付し圧着係止させる両面テープでもよい。【００２５】  眼鏡拭きクロス４は眼鏡レンズの埃や油脂汚れを傷つけることなく拭いて綺麗にすることが可能な、例えばポリエステルやナイロンで形成される柔らかい超極細繊維（マイクロファイバー）である。図１、図３には眼鏡拭きクロス４の外形端をほつれ留めの鋸刃形状で図示しているが、ほつれにくい織法であれば直線形状であってもよい。【００２６】  紐用穴６は、しおり１を書籍に挟んだ際、しおり１が挟まった読みかけのページの場所を探しやすく、またしおり１を取り出しやすくするための紐を通すための丸形など穴であり、紐は適度に自立性があるほうが使用性が高く、ナイロン製のリボン紐などでも良い。【００２７】  図４〜図７に示すしおり１は、本考案を実施するにあたり、図１〜図３に示すしおり１の矩形シート２の少なくとも一辺に折り曲げ可能に接合形成され、折り曲げ時には眼鏡拭きクロス４を覆って汚れや紙粉から保護する蓋状のシート部材を付加したもので、矩形シート２と、係止体３と、眼鏡拭きクロス４と、蓋状シート５によって構成されている。【００２８】  この蓋状シート５は矩形シート２の少なくとも一辺に接合形成されるもので、蓋状シート５と蓋状シート５の境界にミシン目や折り曲げ溶着線などを設けて折り曲げしやすくなっている。蓋状シート５を折り曲げて畳んだ状態にすることで眼鏡拭きクロス４を覆い、眼鏡拭きクロス４に紙粉が付いたり、指の油脂や汚れが付いたりすることを防ぐことができる。【００２９】  蓋状シート５の材質については、折り曲げて畳んだ状態において矩形シート２と重なった際に本に挟んだ時に厚みが気にならない程度の厚みを有しており、かつ読書中の書籍のたわみに合わせてたわむ程度の弾性がある部材が良く、例えばボール紙などの厚手用紙や、ポリプロピレン等の薄手プラスチックシート材が考えられる。また眼鏡拭きクロス４を外から視認できるよう透明か半透明のシート材であっても良い。【００２０】  また蓋状シート５の一辺に差し込みベロ２１���、矩形シート２には蓋状シート５を折り曲げたときに差し込みベロ２１に対応し挿入できる位置に差し込み穴２２が設けられることで、蓋状シート５を折り曲げた際に畳んだ状態が保たれ、しおりとしての利便性を高められる。【００３１】  図８、図９に示すしおり１は、本考案を実施するにあたり、製造においても、しおりとして使用する際にも、クリーナーとして使用する際にも最適と考えられる形態となっていて、矩形シート２と、矩形シート２の上部に設けられた面状係止体２６と、矩形シート２と蓋状シート５の層の間に挟み込まれように配置され、面状係止体２６で上端を矩形シート２に固定された眼鏡拭きクロス４と、蓋状シート５と、ロック体２０と、紐用穴６によって構成されている。【００３２】  図示した矩形シート２の片面の上部には、眼鏡拭きクロス４を矩形シート２と挟持係止させる面状係止体２６が設けられている。この面状係止体２６と矩形シート２の上端部は折り曲げ溶着部２４が形成されるが、これは面状係止体２６と矩形シート２に重ねたうえで上端部を溶着させたことにより形成された溶着部分であり、薄さを保つためのものである。【００３３】  眼鏡拭きクロス４を矩形シート２と面状係止体２６で挟持係止させる方法としては、例えば矩形シート２と眼鏡拭きクロス４との間、また矩眼鏡拭きクロス４と面状係止体２６の間に貼付し圧着係止させる両面テープや、矩形シート２と眼鏡拭きクロス４と面状係止体２６を重ねた上で縫製したりホチキス針で留めたりする方法も可能である。【００３４】  矩形シート２の左右にはロック体２０が設けられており、このロック体２０を、間に挟み込まれた眼鏡拭きクロス４を超えて蓋状シート５のくびれの部分に引っ掛けることで、眼鏡拭きクロス４と蓋状シート５の左右側を矩形シート２側に密着固定できる。さらに、蓋状シート５の上部は面状係止体２６の下端よりも長く形成されており、面状係止体２６の裏側に潜り込むように蓋状シート５を差し込んでおくことで上側を密着固定できるため、左右のロック体２０と併せてしおりとしての利便性を高められる。【００３５】図１０（ａ）〜（ｄ）は図８、図９に示すしおり１の使用手順を示すものである。
なお、図に示す蓋状シート５は透明部材を用いた例である。【００３６】読書中使用するしおり状態を示すのは図１０（ａ）であるが、眼鏡拭きクリーナーとして使用したい場合には、ロック体２０を蓋状シート５のくびれの部分から外し、蓋状シート５を手前方向に引き出すことで、蓋状シート５の上端を面状係止体２６から抜き出すことができる。【００３７】次に図１０（ｂ）のように矩形シート２と蓋状シート５の層の間に挟み込まれように配置された眼鏡拭きクロス４を引き出す。この際、眼鏡拭きクロス４の上端は面状係止体２６と矩形シート２により挟持係止されており、眼鏡拭きクロス４が落脱する心配が無い。【００３８】眼鏡拭きクロス４が完全に蓋状シート５の上方向に引き出されたら、図１０（ｃ）のように蓋状シート５の上部を面状係止体２６の面状係止体２６の裏側に潜り込むように差し込み、ロック体２０を蓋状シート５のくびれの部分に引っ掛ける。【００３９】以上の手順により図１０（ｄ）のようなクリーナー状態となる。蓋状シート５が矩形シート２と面接固定されているので邪魔にならず、眼鏡拭きクロス４は上端を面状係止体２６で固定されているため矩形シート２と蓋状シート５の落脱を気にせずに眼鏡を拭くことができる。【００４０】  図１１に示すしおり１は、図８および図９に示すしおり１の広告例を示すものである。蓋状シート５が透明か半透明の薄手プラスチックシート材であれば、矩形シート２と蓋状シート５の層の間に挟み込まれように配置された眼鏡拭きクロス４を外から視認できるため、例えば眼鏡拭きクロス４の視認面に対して書店名や出版社名を印字することで、広告を兼ね備えた短冊状しおりとして用いることも可能である。【００４１】図１〜図１１に示すしおり１の矩形シート２には、書籍に挟んで使用した際にしおり１を取り出しやすくするための紐２５を通すための紐用穴６が設けられている。この紐用穴６は例えば丸穴や矩形穴で形成されており、紐２５はリボン紐や皮革紐、プラスチック紐が適している、【００４２】図８〜図１１のように面状係止体２６が設けられている場合には矩形シート２のみならず面状係止体２６にも紐用穴６が設けられ、矩形シート２の紐用穴６から接面する面状係止体２６の紐用穴６に紐２５を通すことができる。
【産業上の利用可能性】
【００４３】  上述の考案は、眼鏡拭きクリーナーとしてだけではなく、スマートフォンの画面やカメラのレンズを拭くクリーナーとしても利用可能である。
【符号の説明】
【００４４】１・・・しおり
２・・・矩形シート
３・・・係止体
４・・・眼鏡拭きクロス
５・・・蓋状シート
６・・・紐用穴
２０・・・ロック体
２１・・・差し込みベロ
２２・・・差し込み穴
２３・・・折り返し係止体
２４・・・折り曲げ溶着部
２５・・・紐
２６・・・面状係止体
【図１】
0003213731.tif 000003
【図２】
0003213731.tif 000004
【図３】
0003213731.tif 000005
【図４】
0003213731.tif 000006
【図５】
0003213731.tif 000007
【図６】
0003213731.tif 000008
【図７】
0003213731.tif 000009
【図８】
0003213731.tif 000010
【図９】
0003213731.tif 000011
【図１０−ａ】
0003213731.tif 000012
【図１０−ｂ】
0003213731.tif 000013
【図１０−ｃ】
0003213731.tif 000014
【図１０−ｄ】
0003213731.tif 000015
【図１１】
0003213731.tif 000016